(57)【要約】      （修正有）【課題】携帯式のペットの排泄物を掃除するためのスコップ構造を提供する。【解決手段】スコップ構造は主に排泄物収納ケース２０、パイプ、柄４０、及びローラーユニット５０で構成される。パイプが直立ポジションにある場合、排泄物収納ケース２０の排泄物収納口２１が上向きになり、ペットの排泄物が外に溢れて散らかることがなくなり、空間も節約され、収納を便利にする。また、直立ポジションでは平鋤の一端が排泄物収納ケース２０内に挿入されて収納されると共に挿着結合されて曳きやすくなる。パイプが横臥ポジションにある場合、飼い主がペットの排泄物を排泄物収納ケース２０の排泄物収納口２１に掃き入れることにより掃除の目的を達成させる。また、２つのローラーユニット５０が増設されるため、飼い主が柄４０を直接握って牽くことができ、持ち上げて移動させる必要がなく、外出時に携帯が便利で省力になる効果を達成させる。【選択図】図２
0003218319.tif 000002
【実用新案登録請求の範囲】
【請求項１】
掃除用具を接合させるために適合される携帯式のペットの排泄物を掃除するためのスコップ構造であって、
一端には排泄物収納口が設けられ、他端には２つの支持用脚座が凸設され、両側には２つの第一位置決め部及び２つの第二位置決め部がそれぞれ凸設される排泄物収納ケースと、
前記排泄物収納ケースに枢着され、且つ前記２つの第一位置決め部または前記２つの第二位置決め部に定位結合される結合部及び前記結合部に連結される接合部を有するパイプであって、前記パイプは直立ポジションと横臥ポジションとの間で枢動を行い、前記パイプが前記直立ポジションにある場合、前記結合部が前記２つの第一位置決め部に結合されると共に前記排泄物収納口に対応させ、前記パイプが前記横臥ポジションにある場合、前記結合部が前記２つの第二位置決め部に結合されると共に前記排泄物収納ケースの外表面に対応させるパイプと、
一端は前記パイプの接合部に連結され、他端は前記掃除用具を装入させて接合定位させるためのホルダーを有する柄と、
前記排泄物収納ケースの一端に設置されると共に前記２つの支持用脚座にそれぞれ対応させる２つのローラーユニットと、を備えることを特徴とする、
携帯式のペットの排泄物を掃除するためのスコップ構造。
【請求項２】
前記パイプの結合部及び接合部は一体成形されることを特徴とする請求項１に記載の携帯式のペットの排泄物を掃除するためのスコップ構造。
【請求項３】
前記排泄物収納ケースは、前記排泄物収納口の先端箇所に一体成形されて設置されるスクレーパーを更に備えることを特徴とする請求項１に記載の携帯式のペットの排泄物を掃除するためのスコップ構造。
【請求項４】
前記パイプの結合部と接合部との間には固定角度が形成され、前記パイプは前記固定角度で枢動を行うことを特徴とする請求項１に記載の携帯式のペットの排泄物を掃除するためのスコップ構造。
【請求項５】
前記２つのローラーユニットは前記排泄物収納ケースに設置される２つの連結脚座及び前記２つの連結脚座にそれぞれ装設される２つのローラーを備えることを特徴とする請求項１に記載の携帯式のペットの排泄物を掃除するためのスコップ構造。
【請求項６】
前記掃除用具は平鋤またはほうきであることを特徴とする請求項１に記載の携帯式のペットの排泄物を掃除するためのスコップ構造。
【請求項７】
前記排泄物収納ケースには前記２つの支持用脚座と前記２つのローラーユニットとの間に位置される複数の水抜き穴が穿設されることを特徴とする請求項１に記載の携帯式のペットの排泄物を掃除するためのスコップ構造。
【考案の詳細な説明】
【技術分野】
【０００１】
本考案は、スコップ構造に関し、より詳しくは、携帯式のペットの排泄物を掃除するためのスコップ構造に関する。
【背景技術】
【０００２】
ペットブームの隆盛に連れて飼い主がペットを外へ連れて行くことが多くなり、ペットに外で適度な運動と排泄を行わせることがある。都市部では快適な住環境を守るため、飼い主はペットの排泄物を掃除して街を汚さないようにする必要がある。
【０００３】
図１は従来の掃除用具セット１０を示す概略図であり、スコップ１１及び前記スコップ１１に組み合わせられるほうき１２を備える。
前記スコップ１１はほぼＬ字型を呈し、且つ排泄物収納ケース１１１及び前記排泄物収納ケース１１１に連結される柄１１２を有する。飼い主が前記ほうき１２を使用してごみやペットの排泄物を前記排泄物収納ケース１１１の開口部中に掃き入れることでペットの排泄物を掃除する目的を達成させる。
【考案の概要】
【考案が解決しようとする課題】
【０００４】
しかしながら、飼い主が前記掃除用具セットを使用する場合、前記排泄物収納ケース１１１の開口部から外に向けてペットの排泄物が溢れ落ちることがあり、飼い主が再度掃除しなければならなかった。更に、飼い主がペットの排泄物が外に落ちたことに気付かずにペットの排泄物を掃除し忘れることがあり、環境を汚してしまうという問題があった。
【０００５】
さらに、前記排泄物収納ケース１１１は前記柄１１２に連結固定され、折り畳んで枢動させる機能がなく、前記スコップ１１の体積を最小まで縮めることができず、置いておく際に空間を占拠してしまい、収納しにくいという問題があるほか、前記排泄物収納ケース１１１は見落とされやすく、前記排泄物収納ケース１１１に躓いて怪我をすることがあるという危険性があった。
【０００６】
なお、前記掃除用具セット１０は持ち上げて移動させる必要があるため、飼い主が持ち歩くには負担が大きく、明らかに使用が面倒で不便であり、且つ飼い主が持って出歩くのをためらうことにも繋がった。
【０００７】
そこで、本考案者は上記の欠点が改善可能と考え、鋭意検討を重ねた結果、合理的設計で上記の課題を効果的に改善する本考案の提案に到った。
【０００８】
本考案は、以上の従来技術の課題を解決する為になされたものである。即ち、本考案の主な目的は、枢動機能を提供し、収納時に空間を占拠しないという長所を達成させ、ペットの排泄物が外に溢れ落ちるのを防止させる目的も達成させる、携帯式のペットの排泄物を掃除するためのスコップ構造を提供することにある。
【０００９】
また、本考案の他の目的は、持ち歩く際に携帯に便利であり、省力にする効果を達成させる、携帯式のペットの排泄物を掃除するためのスコップ構造を提供することにある。
【課題を解決するための手段】
【００１０】
上記課題を解決するための本考案のある態様の携帯式のペットの排泄物を掃除するためのスコップ構造は、掃除用具を接合させるために適合される。
携帯式のペットの排泄物を掃除するためのスコップ構造は、一端には排泄物収納口が設けられ、他端には２つの支持用脚座が凸設され、両側には２つの第一位置決め部及び２つの第二位置決め部がそれぞれ凸設される排泄物収納ケースと、前記排泄物収納ケースに枢着され、且つ前記２つの第一位置決め部または前記２つの第二位置決め部に定位結合される結合部及び前記結合部に連結される接合部を有するパイプであって、前記パイプは直立ポジションと横臥ポジションとの間で枢動を行い、前記パイプが前記直立ポジションにある場合、前記結合部が前記２つの第一位置決め部に結合されると共に前記排泄物収納口に対応させ、前記パイプが前記横臥ポジションにある場合、前記結合部が前記２つの第二位置決め部に結合されると共に前記排泄物収納ケースの外表面に対応させることと、一端は前記パイプの接合部に連結され、他端は前記掃除用具を装入させて接合定位させるためのホルダーを有する柄と、前記排泄物収納ケースの一端に設置されると共に前記２つの支持用脚座にそれぞれ対応させる２つのローラーユニットとを備える。
【００１１】
好ましくは、前記パイプの結合部及び接合部は一体成形される。
【００１２】
好ましくは、前記排泄物収納ケースは、前記排泄物収納口の先端箇所に一体成形されて設置されるスクレーパーを更に備える。
【００１３】
好ましくは、前記パイプの結合部と接合部との間には固定角度が形成され、前記パイプは前記固定角度で枢動を行う。
【００１４】
好ましくは、前記２つのローラーユニットは前記排泄物収納ケースに設置される２つの連結脚座及び前記２つの連結脚座にそれぞれ装設される２つのローラーを備える。
【００１５】
好ましくは、前記掃除用具は平鋤またはほうきである。
【００１６】
好ましくは、前記排泄物収納ケースには前記２つの支持用脚座と前記２つのローラーユニットとの間に位置される複数の水抜き穴が穿設される。
【考案の効果】
【００１７】
以上によれば、本考案の携帯式のペットの排泄物を掃除するためのスコップ構造は、主に前記排泄物収納ケースと、前記パイプと、前記柄と、前記２つのローラーユニットとで構成される。
前記パイプが前記排泄物収納ケースに対して前記直立ポジションと前記横臥ポジションとの間で枢動を行うことにより、前記パイプが前記直立ポジションにある場合、前記排泄物収納ケースの排泄物収納口が上を向き、ペットの排泄物が外に溢れ落ちなくなる。また、空間も節約され、収納の目的も達成される。前記パイプが前記横臥ポジションにある場合、飼い主がペットの排泄物を前記排泄物収納ケースの排泄物収納口に掃き入れることが可能になり、掃除の目的を達成させる。
【００１８】
また、本考案には前記２つのローラーユニットが増設され、飼い主が手で前記柄を直接握って引っ張ることができ、携帯の利便性が高まる。持ち上げて持ち歩く必要がなく、外出時に携帯が便利で省力になる効果を達成させる。
【図面の簡単な説明】
【００１９】
【図１】従来の掃除用具セットを示す概略図である。
【図２】本考案のスコップ構造の実施形態を示す概略図である。
【図３】本考案のスコップ構造の実施形態を示す拡大概略図である。
【図４】本考案のスコップ構造の実施形態の使用概略図（一）であって、パイプが直立ポジションにある。
【図５】本考案のスコップ構造の実施形態の使用概略図（二）であって、パイプが横臥ポジションにある。
【考案を実施するための形態】
【００２０】
以下、図面を参照しつつ、本考案に係る携帯式のペットの排泄物を掃除するためのスコップ構造について具体的に説明する。尚、以下に説明する実施の形態は、実用新案登録請求の範囲に記載された本考案の内容を限定するものではない。また、以下に説明される構成の全てが、本考案の必須要件であるとは限らない。
【００２１】
本考案に係る携帯式のペットの排泄物を掃除するためのスコップ構造は、掃除用具Ａを接合させるために適合される。本実施形態において、前記掃除用具Ａとして平鋤を例示するが、これに限られず、ほうきでもよい。
前記携帯式のペットの排泄物を掃除するためのスコップ構造は主に排泄物収納ケース２０と、パイプ３０と、柄４０と、２つのローラーユニット５０とで構成される（図２乃至図５参照）。各部材についての説明は下述する。
【００２２】
まず、前記排泄物収納ケース２０は台形状立方体であり、一端には外部に連通される排泄物収納口２１が設けられ、他端には２つの支持用脚座２２が凸設され、前記排泄物収納ケース２０の両側には２つの第一位置決め部２３及び２つの第二位置決め部２４がそれぞれ凸設される。
本実施形態では、前記排泄物収納ケース２０は前記排泄物収納口２１に連接される上面２５及び前記排泄物収納口２１に連接されると共に前記上面２５の反対に位置される底面２６を更に含み、前記２つの第一位置決め部２３の間には第一位置決め口２３１が形成され、前記２つの第二位置決め部２４の間には第二位置決め口２４１が形成される。前記２つの支持用脚座２２の配置により、前記排泄物収納ケース２０を堅固に直立支持させる効果を達成させる。
前記排泄物収納ケース２０はスクレーパー２７を更に備える。前記スクレーパー２７は前記排泄物収納口２１の先端箇所に一体成形されて設置され、上述の一体成形方式の製造により高い堅牢性が得られる。従来の組み合わせ方式では構造的に断裂しやすいという問題があるが、本考案は荷重強度及び断裂防止が強化されているため、耐力が向上し、より実用的になり、堅固で耐用性が高く、製造が簡単になり、コストも低下して経済利益性が高まる。
さらに、前記排泄物収納ケース２０には前記２つの支持用脚座２２と前記２つのローラーユニット５０との間に位置される複数の水抜き穴２８が穿設される。前記排泄物収納ケース２０を洗う際には前記複数の水抜き穴２８が設けられているため、効果的に乾燥される作用が達成される。
【００２３】
次は、前記パイプ３０はほぼ倒コの字型を呈し、前記排泄物収納ケース２０の両側に枢着され、且つ前記２つの第一位置決め部２３または前記２つの第二位置決め部２４に定位結合される結合部３１及び前記結合部３１に連結される接合部３２を有する。前記パイプ３０の結合部３１及び接合部３２は一体成形され、構造の簡略化、製造工程の削減、及び装設を利便にするという目的が達成される。また、十分な強度を有し、全体的な堅牢性を確保する。
前記パイプ３０は直立ポジションＰ１と横臥ポジションＰ２との間で枢動を行い、前記パイプ３０の結合部３１及び接合部３２が一体成形されるため、前記結合部３１と前記接合部３２との間には固定角度Θが形成される。前記パイプ３０は前記固定角度Θで前記直立ポジションＰ１と前記横臥ポジションＰ２との間で枢動を行う。前記パイプ３０が前記直立ポジションＰ１にある場合、前記結合部３１は前記２つの第一位置決め部に結合されると共に前記排泄物収納口２１に対応させる。前記パイプ３０が前記横臥ポジションＰ２にある場合、前記結合部３１は前記２つの第二位置決め部２４に結合されると共に前記排泄物収納ケース２０の外表面に対応させる。これは使用者が選択して利用する。
本実施形態では、前記２つの第一位置決め部２３の間には第一位置決め口２３１が形成され、前記２つの第二位置決め部２４の間には第二位置決め口２４１が形成される。前記パイプ３０が前記直立ポジションＰ１にある場合、前記パイプ３０が前記２つの第一位置決め部２３により前記第一位置決め口２３１中に挟着され、前記パイプ３０が前記横臥ポジションＰ２にある場合、前記パイプ３０が前記２つの第二位置決め部２４により前記第二位置決め口２４１中に挟着される。これにより、前記２つの第二位置決め部２４及び前記２つの第一位置決め部２３により堅固な定位作用が達成され、前記パイプ３０が前記排泄物収納ケース２０に対していつまでも枢動動作を行うことがなくなり、揺れ動かなくなる。
【００２４】
次は、前記柄４０の一端は前記パイプ３０の接合部３２に連結され、他端は前記掃除用具Ａを装入させて接合定位させるホルダー４１を有する。このため、前記ホルダー４１の配置により、前記掃除用具Ａが使用されていない場合には前記掃除用具Ａが前記ホルダー４１に安定的に挟着され、前記柄４０及び前記掃除用具Ａを便利で迅速に装設可能になり、且つ前記掃除用具Ａが倒れることが防止される。また、前記掃除用具Ａの鋤端は地面との間に一定の間隔を保持させる。
【００２５】
次は、前記２つのローラーユニット５０は前記排泄物収納ケース２０の一端に設置されると共に前記２つの支持用脚座２２にそれぞれ対応させる。本実施形態では、前記２つのローラーユニット５０は前記排泄物収納ケース２０に設置される２つの連結脚座５１及び前記２つの連結脚座５１にそれぞれ装設される２つのローラー５２を備える。
前記２つのローラーユニット５０の設置により、持ち上げて人力で移動させる必要がある従来の技術に比べて、疲労するという問題を解決できるため、本考案では上述の欠点が改善させる手段として前記２つのローラーユニット５０が増設され、使用者持ち歩く際に前記パイプ３０を前記直立ポジションＰ１にして、使用者が前記柄４０を引っ張るのみで前記２つのローラーユニット５０が連動されて回転を行い、省力で持ち歩けるようになるという効果を達成させる。
【００２６】
以下、前記携帯式のペットの排泄物を掃除するためのスコップ構造の使用状況について更に説明する。
図３及び図４に示されるように、前記パイプ３０が前記固定角度Θで前記直立ポジションＰ１まで枢動されると、前記２つの第一位置決め部２３により前記第一位置決め口２３１中に挟着され、前記排泄物収納口２１が上に向けられると共に前記結合部３１が前記排泄物収納口２１に対応させ、前記排泄物収納ケース２０が前記２つの支持用脚座２２により直立状態に保持される。これにより、ペットの排泄物が外に溢れ落ちなくなる。
また、前記パイプ３０が前記直立ポジションＰ１にある場合、全体の体積が縮小され、飼い主が携帯して出し入れしやすくなる。或いは、収納空間が最適化される効果を有し、携帯のための空間が減少する。周りの歩行者への影響もなく、前記排泄物収納ケース２０がぶつかる危険性も大きく減少し、歩行者の安全性も高まる上、前記排泄物収納ケース２０がぶつかることがないため、前記携帯式のペットの排泄物を掃除するためのスコップ構造全体が倒れて壊れることもなくなる。また、前記直立ポジションＰ１では平鋤の一端が前記排泄物収納ケース２０内に挿入されて収納されると共に挿着結合され、牽引が便利になるという長所も達成される。
前記排泄物収納ケース２０には前記複数の水抜き穴２８が穿設されるため、前記排泄物収納ケース２０を洗った後に前記排泄物収納ケース２０を前記直立ポジションＰ１まで枢動させると、前記複数の水抜き穴２８により前記排泄物収納ケース２０が効果的に乾燥される。
図５に示されるように、前記パイプ３０が前記固定角度Θで前記横臥ポジションＰ２まで枢動されると、前記２つの第二位置決め部２４により前記第二位置決め口２４１中に挟着され、前記排泄物収納ケース２０の底面２６が地面に当接され、前記パイプ３０の結合部３１が前記排泄物収納ケース２０の上面２５に対応させ、飼い主がペットの排泄物を前記排泄物収納ケース２０の排泄物収納口２１に掃き入れて掃除する目的を達成させる。
【００２７】
以上が本考案に係る携帯式のペットの排泄物を掃除するためのスコップ構造の各部部材の構造及びその形態についての説明である。
【００２８】
これにより、本考案の携帯式のペットの排泄物を掃除するためのスコップ構造は、主に前記排泄物収納ケース２０と、前記パイプ３０と、前記柄４０と、前記２つのローラーユニット５０とで構成される。
前記パイプ３０が前記排泄物収納ケース２０に対して前記直立ポジションＰ１と前記横臥ポジションＰ２との間で枢動を行うことにより、前記パイプ３０が前記直立ポジションＰ１にある場合、前記排泄物収納ケース２０の排泄物収納口２１が上に向き、ペットの排泄物が外溢れ落ちなくなり、空間も節約され、収納を便利にする目的も達成させる。前記パイプ３０が前記横臥ポジションＰ２にある場合、飼い主がペットの排泄物を前記排泄物収納ケース２０の排泄物収納口２１に掃き入れて掃除する目的を達成させる。
【００２９】
また、本考案では前記２つのローラーユニット５０が増設される。飼い主は前記柄４０を手で直接握って引っ張ることができ、持ち歩きが楽になる。持ち上げて持ち歩く必要がなくなるため、外出時に携帯が便利で省力になる効果を達成させる。
【００３０】
以上、本考案の実施形態について図面を参照して詳述したが、具体的な構成はこの実施形態に限られるものではなく、本考案の要旨を逸脱しない範囲の設計変更等も含まれる。
【符号の説明】
【００３１】
１０  掃除用具セット
１１  スコップ
１１１  排泄物収納ケース
１１２  柄
１２  ほうき
Ａ  掃除用具
Θ  固定角度
Ｐ１  直立ポジション
Ｐ２  横臥ポジション
２０  排泄物収納ケース
２１  排泄物収納口
２２  支持用脚座
２３  第一位置決め部
２３１  第一位置決め口
２４  第二位置決め部
２４１  第二位置決め口
２５  上面
２６  底面
２７  スクレーパー
３０  パイプ
３１  結合部
３２  接合部
４０  柄
４１  ホルダー
５０  ローラーユニット
５１  連結脚座
５２  ローラー
【図１】
0003218319.tif 000003
【図２】
0003218319.tif 000004
【図３】
0003218319.tif 000005
【図４】
0003218319.tif 000006
【図５】
0003218319.tif 000007